(57)【要約】【課題】ゴルフスイングを行なう際に必要な、身体の各部分の筋力を増強したり、正しいスイングフォームを養成するのに適した、ゴルフスイングトレーニング装置を提供する。【解決手段】身長に応じて、高さが調整できるゴルフスイング機構７のグリップ２４を握り、スイング動作を行なうことにより、グリップの円弧状の回転運動を、スイングアーム固定ホルダー８から動力伝達軸１２、更にはウエイトアーム１８を固定したウエイトアーム固定ホルダー１７に伝え、該ウエイトアーム固定ホルダー１７の軸心周りにウエイトアーム１８を回転させることにより、ウエイトアーム１８のウエイト１９がスイング力に逆らう負荷として、作用するように構成する。更に、ウエイトアームに締結したウエイトによる負荷力は、個人個人の筋力差に応じて、任意に調整できる機構とする。【選択図】  図１
2010201146.tif 000002
【特許請求の範囲】
【請求項１】
ゴルフスイング機構のグリップを握りスイングを行なう際にグリップが円弧状に回転する回動を、スイングアーム固定ホルダーを締結した動力伝達軸を介して、ウエイトアームを固定したウエイトアーム固定ホルダーがその軸心周りに回転する回動として伝え、該ウエイトアームのウエイトがスイング力を養うのに有効な負荷として作用するゴルフスイングトレーニング装置。
【請求項２】
グリップが円弧状に回転する回動を、スイングアーム固定ホルダーを締結した動力伝達軸と同一軸に固定された動力ギヤへ伝え、次いで、該動力ギヤと対向して反対方向に回転する連動ギヤに伝え、該連動ギヤと同軸上で回動するウエイトアーム固定ホルダーに締結したウエイトアームのウエイトが、スイング力を養うのに有効な負荷として作用する請求項１に記載のゴルフスイングトレーニング装置。
【請求項３】
ゴルフスイング機構が、スライドアームと該スライドアームに連結したグリップと動力伝達軸のヘッド基端に連結したスイングアームとスライディング部材とから成り、該グリップを握ってセットアップの状態から、ゴルフスイングを行なってフィニッシュに至るまでのグリップの円弧状の動きに対応して、スイングアームの長手方向にスライドアームがスライディング部材を介してスライドし、さらに、必要に応じてスライドアームとスイングアームとがスライドしないように固定する固定ストッパーと、決められた範囲内でのみスライド可能とする可変ストッパーとを兼ね備えた請求項１又は２に記載のゴルフスイングトレーニング装置。
【請求項４】
動力ギヤと連動ギヤとの歯数比が一対一又は種々異なる歯数比のギヤを各種準備しておき、スイング動作に伴なってグリップが動く円弧状回転角度の位置とウエイトの負荷が作用する位置とを、各種歯数比の一セットを選択して調整することが可能な請求項１乃至３のいずれかに記載のゴルフスイングトレーニング装置。
【請求項５】
ゴルフスイング機構のグリップを握って、スイング動作を行なって、スイングアームをスイングアーム固定ホルダーの軸心を中心として回動させ、かつ、これとは逆回転方向にウエイトをセットしたウエイトアームを回動させることにより、回転力による作用と反作用のエネルギーバランスがとれるようにした請求項１乃至４のいずれかに記載のゴルフスイングトレーニング装置。
【請求項６】
ウエイトアームに形成した雄ネジ部の望みの位置に位置決めナットをねじ込み、該位置決めナットと押さえナットとの間にウエイトを締め付けて、ウエイトアームの長手方向の好みの位置にウエイトをセットすることにより、ウエイトが同一の場合でも、スイング力を養うのに有効な負荷力を調整することが可能な請求項１乃至５のいずれかに記載のゴルフスイングトレーニング装置。
【請求項７】
ウエイトアームを組み込んだウエイトアーム固定ホルダーを動力連動軸に組付ける場合の組付け角度を３６０度の範囲のいずれの角度方向にも設定可能にすることにより、グリップが円弧状に回転する如何なる範囲に対してもウエイトがスイング力を養うのに有効な負荷力として作用する請求項１乃至５のいずれかに記載のゴルフスイングトレーニング装置。
【発明の詳細な説明】
【技術分野】
【０００１】
本発明は、ゴルフ練習を行なう際に、効果的にゴルフスイングに必要な筋力の強化及び正しいスイングフォームを養成するためのゴルフスイングトレーニング装置に関するものである。
【背景技術】
【０００２】
ゴルフ愛好家は、一般的にゴルフスコアを少しでも良くする為に、クラブの素振りやボールの打ち放しはもとより、ゴルフコースでのラウンドを出来得る限り多くして上達することを心がけ、更には、飛距離をアップさせるために高価なクラブを購入する、等々の努力をするにもかかわらず飛距離については、望みの効果を伴なわないことが多い。
【０００３】
このような状況の下、近年においては、ゴルフスイングのイメージトレーニング装置がある（例えば、特許文献１参照）。あるいは、スイング前のセットアップからスイング後のフィニッシュに至る間の理想的な姿勢を体得するためのゴルフスイング練習装置がある（例えば、特許文献２参照）。
【０００４】
また、積極的にゴルフスイング時の筋力をアップさせるトレーニング装置として、回転負荷装置に屈曲可能なステンレス製の螺線状棒材の一端に握持具を枢着したハンドルを固定して、ハンドルの握持具をバックスイングからボールを打つインパクト状態の姿勢まで動かす際に、回動負荷が作用する回動負荷装置を備えた筋力強化用のトレーニング装置がある（例えば、特許文献３参照）。
【０００５】
また更に、グリップから中間アーム、次いで、回動アームに連結された回動制御装置を備えたスイング練習機において、グリップをバックスイングの状態からボールを打つ位置の最下位までダウンスイングして回動アームを回動させる過程で回転制御装置内の作動油による抵抗が高負荷となる練習機がある（例えば、特許文献４参照）。
【０００６】
これらのゴルフスイング時の筋力アップを目的としたスイング練習機は、装置がコンパクトなものや装置が大がかりのもの、或いは、構造が複雑な装置等々であるが、いずれの装置も筋力を増強するための負荷が一定であり、体力の個人差に応じた負荷の調節が不可能なものであった。
【先行技術文献】
【特許文献】
【０００７】
【特許文献１】特開２００２−３４６０１６号公報
【特許文献２】特開２００５−１４３５２９号公報
【特許文献３】特開平９−１９２２８２号公報
【特許文献４】特開平６−１２１８５８号公報
【発明の概要】
【発明が解決しようとする課題】
【０００８】
ゴルフ関連分野では、ゴルフ愛好家に対する、ゴルフスイング時のイメージトレーニング装置や、スイング練習機、あるいは、ゴルフスイング時の筋力トレーニング装置等が発表されている。これらの中には、積極的にゴルフスイング時の筋力を増強させようとするものも見受けられるが、これらはいずれもゴルフスイング力に抵抗する応力が一定であり、また、ゴルフスイング軌跡の範囲内で、個人個人の筋力差に釣り合った応力を如何なる範囲で作用させるか、あるいは、応力の大きさを如何程にするか等を調整することが不可能であった。
【０００９】
また、当然のことながら、ゴルフスイング時の筋力が増強されるに従がって、更に、一段階上の筋力を養おうとしても、その目的を満たしてくれるのに適した装置が皆無であった。
【００１０】
また、更に、グリップを握ってバックスイングに入って、トップの位置からダウンスイング、次いで、インパクト、更には、フォロースルーからフィニッシュに至るまでの間にグリップが描く円弧状の軌跡の範囲内で、希望する様々な範囲で身体に必要な筋力を積極的に増強することが可能となれば、ゴルフスイング力の強化にとってより好ましい結果が得られることになる。
【００１１】
特に、ゴルフスイングを行なう際に、クラブヘッドが正しいスイングプレーンを保てるよう訓練することが、飛距離向上に大きく寄与することになるが、満足できる装置がほとんど見受けられない。
【００１２】
あるいは、また、スコアメイクで不可欠な、アプローチショットのような小さなスイングの際に理想とされる、両腕を振子式に小さい角度範囲で正確に動かす場合に相当する、スイング軌跡の動作訓練用としても利用できる装置があれば更に好都合である。
【課題を解決するための手段】
【００１３】
上記課題を解決するため本発明は、以下の手段から構成される。
【００１４】
即ち、ゴルフスイング機構のグリップを握りスイングを行なう際にグリップが円弧状に回転する回動を、スイングアーム固定ホルダーを締結した動力伝達軸を介して、ウエイトアームを固定したウエイトアーム固定ホルダーがその軸心周りに回転する回動として伝え、該ウエイトアームのウエイトがスイング力を養うのに有効な負荷として作用するゴルフスイングトレーニング装置（請求項１）。
【００１５】
グリップが円弧状に回転する回動を、スイングアーム固定ホルダーを締結した動力伝達軸と同一軸に固定された動力ギヤへ伝え、次いで、該動力ギヤと対向して反対方向に回転する連動ギヤに伝え、該連動ギヤと同軸上で回動するウエイトアーム固定ホルダーに締結したウエイトアームのウエイトが、スイング力を養うのに有効な負荷として作用する請求項１に記載のゴルフスイングトレーニング装置（請求項２）。
【００１６】
ゴルフスイング機構が、スライドアームと該スライドアームに連結したグリップと動力伝達軸のヘッド基端に連結したスイングアームとスライディング部材とから成り、該グリップを握ってセットアップの状態から、ゴルフスイングを行なってフィニッシュに至るまでのグリップの円弧状の動きに対応して、スイングアームの長手方向にスライドアームがスライディング部材を介してスライドし、さらに、必要に応じてスライドアームとスイングアームとがスライドしないように固定する固定ストッパーと、決められた範囲内でのみスライド可能とする可変ストッパーとを兼ね備えた請求項１又は２に記載のゴルフスイングトレーニング装置（請求項３）。
【００１７】
動力ギヤと連動ギヤとの歯数比が一対一又は種々異なる歯数比のギヤを各種準備しておき、スイング動作に伴なってグリップが動く円弧状回転角度の位置とウエイトの負荷が作用する位置とを、各種歯数比の一セットを選択して調整することが可能な請求項１乃至３のいずれかに記載のゴルフスイングトレーニング装置（請求項４）。
【００１８】
ゴルフスイング機構のグリップを握って、スイング動作を行なって、スイングアームをスイングアーム固定ホルダーの軸心を中心として回動させ、かつ、これとは逆回転方向にウエイトをセットしたウエイトアームを回動させることにより、回転力による作用と反作用のエネルギーバランスがとれるようにした請求項１乃至４のいずれかに記載のゴルフスイングトレーニング装置（請求項５）。
【００１９】
ウエイトアームに形成した雄ネジ部の望みの位置に位置決めナットをねじ込み、該位置決めナットと押さえナットとの間にウエイトを締め付けて、ウエイトアームの長手方向の好みの位置にウエイトをセットすることにより、ウエイトが同一の場合でも、スイング力を養うのに有効な負荷力を調整することが可能な請求項１乃至５のいずれかに記載のゴルフスイングトレーニング装置（請求項６）。
【００２０】
ウエイトアームを組み込んだウエイトアーム固定ホルダーを動力連動軸に組付ける場合の組付け角度を３６０度の範囲のいずれの角度方向にも設定可能にすることにより、グリップが円弧状に回転する如何なる範囲に対してもウエイトがスイング力を養うのに有効な負荷力として作用する請求項１乃至６のいずれかに記載のゴルフスイングトレーニング装置（請求項７）。
【発明の効果】
【００２１】
本発明に係るゴルフスイングトレーニング装置は、以下に示すような優れた効果を発揮する。
【００２２】
１．本発明のゴルフスイングトレーニング装置を使用することにより、腹筋や背筋、胴体横の筋肉及び腕力等々のゴルフスイング時に必要とされる各部の筋力を増強することができる。
【００２３】
２．スイング中に前傾姿勢が起き上がらずにスイングを行なう反復練習ができるとともに、前傾姿勢を保つのに必要な筋力トレーニングを行なうことができ、スイング軸が安定する。
【００２４】
３．グリップの円弧状の回転軌跡の如何なる範囲でも、ウエイト量とウエイトの取付角度を自由に選択することができるので、セットアップからフィニッシュに至るまでの一連のスイングプレーンに従って、正しい姿勢を保ちながらスイングを行なうのに必要な、しっかりしたスイング軸を保つ筋肉が増強されるようになり、スイング軸とスイングプレーンが一致してボールの飛距離が大きく伸びることになる。
【００２５】
４．ウエイトアームに締結するウエイトの位置を、ウエイトアームの基端に近い方から先端方向に変更することのみで、スイング力を養うのに有効な負荷を増大することができ、しかも、ウエイト数を増減することで、自由に負荷力を変更することができる。従がって、使用者個人個人の筋力差、あるいは、身体のどの部分の筋力トレーニングを行なうか等に応じて、任意にウエイト量を選択することができる。
【００２６】
５．グリップを握り、グリップとスイングアーム固定ホルダーとの間隔がスライディング部材により長くなったり短くなったりする位置にセットアップすることにより、ウエイトアームのウエイトが同一の場合でもテコの原理でウエイトの応力が強くなったり弱くなったりする現象を活用できる。
【００２７】
６．ウエイトアーム固定ホルダーの取付角度を３６０度の範囲で自由に取付けが可能であるので、ゴルフスイングトレーニング目的に応じて、グリップが動く円弧状回転軌跡の如何なる範囲内でもウエイトの負荷力の作用範囲を自由に選択することができる。
【００２８】
７．あるいはまた、ウエイトアーム固定ホルダーの取付角度を一定に設定する代わりに、ゴルフスイング機構を取付けたスイングアーム固定ホルダーの取付角度を３６０度の範囲で自由に取付けることにより、同様の効果が得られる。
【００２９】
８．本発明のゴルフスイングトレーニング装置は、身長差や筋力の強弱の如何にかかわらず対応でき、また、スイングが右利きあるいは左利きの人に対しても全く同様に使用できる。
【００３０】
９．ウエイトアーム固定ホルダーの外周に角度目盛を刻印しておくとともに最大回動角度で停止する指示針あるいは角度計を取付けておくことにより、筋力の強化に伴ないウエイトアームの回動角度が徐々に上昇するのが分かるので、トレーニング継続の励みになる。
【図面の簡単な説明】
【００３１】
【図１】本発明のゴルフスイングトレーニング装置の側面図である。
【図２】図１の傾斜フレーム及び立設フレームの正面図である。
【図３】本発明においてグリップの回動をウエイトアーム固定ホルダーの軸心周りの回動として伝達する機構の例を示す図であって、動力伝達軸と動力ギヤ及び連動ギヤと動力連動軸との軸心の縦断面図である。
【図４】本発明においてグリップの回動をウエイトアーム固定ホルダーの軸心周りの回動として伝達する機構の他の例を示す図であって、スイングアーム固定ホルダーと動力伝達軸及びウエイトアーム固定ホルダーとの軸心の縦断面図である。
【図５】（ａ）はスライドアームとスイングアームとがスライドする範囲を狭くする場合の側面略図である。（ｂ）は図４（ａ）にスライディング部材（直動システム）を書き加えた場合の正面図である。
【図６】ウエイトアーム固定ホルダー部の正面図と、ウエイトアーム及びウエイト部の断面図からなる模式図である。
【図７】（ａ）はウエイトアーム固定ホルダーを取付ける方式の一例をスプライン軸方式で示した模式図である。（ｂ）は図６（ａ）の縦断面図である。
【発明を実施するための形態】
【００３２】
以下に本発明の実施の形態を図面に基づいて説明する。
【００３３】
図１乃至４において、本発明に係るゴルフスイングトレーニング装置１は、基礎部分が傾斜フレーム２と傾斜フレーム２を安定的に立設するための立設フレーム３とを、利用者個人個人の身長差に応じて高さを調節するための上下アジャスターパッド４を備えて構成されている。
【００３４】
傾斜フレーム２には、スタンド５の前傾角度を自由に変えられるように、角度可変アーム６を介して、スタンド５が組付けられており、スタンド５の先端には動力軸ボックス１１を取付け、この動力軸ボックス１１には、動力伝達軸１２の他端に組付けた動力ギヤ１３が内蔵されており、しかも、動力軸ボックス１１の外側の動力伝達軸１２の基端には、スイングアーム固定ホルダー８を介して、スイングアーム１０を含むゴルフスイング機構７が連結されている。なお、動力ギヤ１３の動力を伝える連動ギヤ１４が動力連動軸１５に組付けられており、更に、動力軸ボックス１１の開閉蓋１６の外側の動力連動軸１５には、ウエイトアーム固定ホルダー１７を介して、ウエイトアーム１８が組付けられ、このウエイトアーム１８の先端には、図５及び６に示すウエイト１９を好みの位置にスライドして、上下ナット２０で締結できるように長い範囲で雄ネジ２１が形成されている。
【００３５】
また図４に示す他の例では、スタンド５の先端に動力軸ボックス１１−１を取付け、この動力軸ボックス１１−１の外側の動力伝達軸１２−１の基端には、スイングアーム固定ホルダー８を介して、スイングアーム１０を含むゴルフスイング機構７が連結されている。また、動力軸ボックス１１−１の外側の動力伝達軸１２−１の他端には、ウエイトアーム固定ホルダー１７を介して、ウエイトアーム１８が組付けられ、このウエイトアーム１８の先端には、図５及び６に示すウエイト１９を好みの位置にスライドして、上下ナット２０で締結できるように長い範囲で雄ネジ２１が形成されている。
【００３６】
一方、ゴルフスイング機構７は、基本的には、スイングアーム固定ホルダー８に固定したスイングアーム１０と、スライディング部材２２を介してスライドするスライドアーム９と、更にはスライドアーム９に連結片２３を介して動かないように固定されたグリップ２４とから成る。なお、特別な場合は、該グリップ２４がグリップ軸回りに回転可能で、しかも、グリップ軸と連結片２３との角度αが前後方向に適量動くように構成することもできる。このようにグリップ２４がグリップ軸回りに回転したり、角度αが適量動くようにするためには、ユニバーサルジョイント方式を採用してもよい。ここでグリップ２４は、連結片２３に対して上向きに取付けずに連結片２３から下向きに取付けることも可能である。
【００３７】
更に、スライディング部材２２は、主なものとしては直動システムといわれており、横断面が長方形から成るレールの長手方向にブロックがボールベアリング又はローラーベアリングを介してスライドするものであり、あるいは二重円筒状の外筒が長手方向にスライドするものの他、ベアリング方式ではなく車輪状ローラーを介してスイングアーム１０の長手方向にスライドする方式のもの等々であり、要は、グリップ２４のスイング軌跡に応じて、グリップ２４とスイングアーム固定ホルダー８との間隔が、スムーズに追従できる機構を有するものであればよい。
【００３８】
また更に、スイングアーム固定ホルダー８に固定したスイングアーム１０の部分に、スライディング部材（直動システム）２２のブロックに締結した必要長さのスライドアーム９を固定し、代りに直動システムのレールに相当するスイングアーム１０に連結片２３を介してグリップ２４を連結させることもできる。この場合、スライディング部材（直動システム）２２のレール部品とスライドアーム９を固定したブロック部品との取付位置を相互に入れ換えて利用するのみであるので、ゴルフスイング機構７は全く同一の機能性を発揮する。
【００３９】
なお、図２は、ゴルフスイングトレーニング装置（図１）の基礎部分を正面方向から見た正面図である。
【００４０】
図３に示す例においては、スイングアーム固定ホルダー８に固定したスイングアーム１０の回動が、動力伝達軸１２を介して、動力伝達軸１２の他端に組付けた動力ギヤ１３の動力伝達軸心回りの回転力として伝わり、次いで、この動力ギヤ１３の回転は、動力連動軸１５に組付けた連動ギヤ１４を反対方向に回転させる回転力として伝わり、更に、動力軸ボックス１１の外側で動力連動軸１５に固定したウエイトアーム固定ホルダー１７に組付けたウエイトアーム１８の回動として伝わるように構成されている。
【００４１】
一方、図４に示す例においては、動力軸ボックス１１−１の外側の動力伝達軸１２−１の基端と他端には、それぞれ、スイングアーム固定ホルダー８を介してスイングアーム１０と、ウエイトアーム固定ホルダー１７を介してウエイトアーム１８とが固定されており、スイングアーム固定ホルダー８の軸心を中心として回転するスイングアーム１０の回動が、ウエイトアーム固定ホルダー１７に直接伝わり、ウエイトアーム１０を回動させるように構成されている。
【００４２】
図５（ａ）では、図面が複雑になるため、スライディング部材２２は記載していないが、スイングアーム１０に固定したスプリングピン２７とスライドアーム９に固定したスプリングピン２７との間に、スライドアーム９の自重に相当する力のスプリング２８を張ることにより、スライドアーム９がスライディング部材２２を介して、スムーズに動くようにしている。なお、スライドアーム９の重量を軽量化することにより、スプリングピン２７とスプリング２８の部品取付けを省略することができる。
【００４３】
更に、図５（ａ）では、グリップ２４のストローク範囲を狭くしたり、若干広くしたりして、反復練習を行なうのに都合がよいようにスライド位置決めブロック２９のセット位置の範囲内でのみ、可変ストッパー３０と一体化されたスライドアーム９が移動できるようにした状態を示しており、例えば、点線で示すような位置にスライド位置決めブロック２９を移すことにより、スライド範囲を広くしたり、逆に狭くしたりすることができる。
【００４４】
このように、スライド位置決めブロック２９と可変ストッパー３０をセットすることにより、寄せの練習における振り子方式のクラブの動き等を反復して体得することができる。なおまた、スライド位置決めブロック２９や可変ストッパー３０は、必要不可欠な部品ではなく、ゴルフスイング機構を簡素化するために削除することもできる。
【００４５】
図５（ｂ）は、スイングアーム１０に対して、スライドアーム９がスライディング部材のうち例えば直動システム２２を介して、スライドするようにしたものであるが、必要に応じて固定ストッパー３１をストッパー穴３２に挿入固定することにより、スライドアーム９が全くスライドしないようにすることもできる。
【００４６】
図６は、ウエイトアームの基端部３３を組付けるウエイトアーム固定ホルダー１７の正面図で、動力連動軸１５（図１参照）を動力連動軸固定用穴３４に挿入して、六角穴付き組込みボルト３６で締め付け用スリット３５を締め付けることにより固定し、更に、ウエイトアーム固定ホルダー１７の外周から軸心方向に形成したウエイトアームネジ込み穴３７に、ウエイトアーム１８の基端部３３をネジ込み、更に、ナット３８で固定するとともに、ウエイトアーム１８の全長、または、ウエイトアーム１８の先端部に形成した雄ネジ２１部にウエイト１９を３枚上下ナット２０で締結した状態を示している。
【００４７】
なお、図４に示す動力伝達軸１２−１方式を採用する場合は、図６及び図７で示すウエイトアーム固定ホルダー１７は動力伝達軸１２−１の他端部に取付けることになる。
【００４８】
図７（ａ）は、ウエイトアーム固定ホルダー１７にスプライン軸３９方式で、動力連動軸１５を挿入し、各々をワッシャー４０を介して、固定ボルト４１で締結したものであり、同図（ｂ）は（ａ）の側断面図である。
【実施例】
【００４９】
以下、本発明のゴルフスイングトレーニング装置について具体的に説明する。
【００５０】
先ず、本発明装置の使用者は、自分の体格に応じて、角度可変アーム６によりスタンド前傾角度及びグリップ２４の高さ位置を上下アジャスターパッド４により調節する。次いで、グリップ２４を握り、ゴルフスイングを行なうにつれて、グリップ２４がスイングアーム固定ホルダー８の軸心を中心として描く円弧状の動きに応じて、スライドアーム９がスライディング部材のうち例えば直動システム２２を介して、長手軸方向にスムーズに出入りし、かつ、グリップ２４の円弧状の動きは、スライディング部材２２を介して、スイングアーム１０に伝わり、さらに該スイングアーム１０は、動力伝達軸１２の基端に取付けたスイングアーム固定ホルダー８に固定しているので、動力伝達軸１２を中心とした回動力として伝わる。
【００５１】
図３の例においては、このグリップ２４の円弧状の動きは、動力伝達軸１２の他端に組付けた動力ギヤ１３を回転させ、かつ、動力ギヤ１３と対応する歯数比で構成された連動ギヤ１４を反回転方向に回動するように伝達される。例えば、より具体的に説明すると、動力ギヤ１３と連動ギヤ１４との歯数比が１：２から成る一セットのギヤを組付けた場合は、グリップ２４を時計の３時から９時の間、即ち、１８０度回転させると連動ギヤ１４は９０度回転することになる。このように、動力ギヤ１３と連動ギヤ１４との歯数比が種々異なるギヤをセット物として準備しておき、必要に応じて、ギヤ比を組変えることにより、グリップ２４の円弧状の回転軌道に対して、連動ギヤ１４の回転角度を種々変更することができる。
【００５２】
ここで、連動ギヤ１４に伝達された回転は、動力軸ボックス１１の外側で動力連動軸１５に固定したウエイトアーム固定ホルダー１７を動力連動軸１５の軸心を中心として回転させる回転として伝わり、更に、ウエイトアーム固定ホルダー１７に組付けたウエイトアーム１８の先端近傍のウエイト１９を動力連動軸１５の軸心回りに回転させる応力として作用する。
【００５３】
一方、図４の例においては、ゴルフスイング機構７のグリップ２４を握り、ゴルフスイングを行なう際にグリップ２４が円弧状に回転する回動は、ゴルフスイング機構７からスイングアーム１０を固定したスイングアーム固定ホルダー８と同一軸に締結した動力伝達軸１２−１と、ウエイトアーム１８を固定したウエイトアーム固定ホルダー１７とに伝わり、ウエイトアーム１８を動力伝達軸１２−１の軸心を中心として回動させる応力に転化する。なお、動力伝達軸１２−１に対して、スイングアーム固定ホルダー８に固定したスイングアーム１０と、ウエイトアーム固定ホルダー１７に固定したウエイトアーム１８との取付け角度は、若干異なる方が好ましい。具体的に、文字の時計盤で示すと、グリップ２４が３時の位置の場合、ウエイトアーム１８のウエイト１９は５時の方向になるように組付ける等、好みに応じて取付角度を調整することができる。
【００５４】
ウエイトアーム１８のウエイト１９は、例えば一個のウエイト１９の場合でも、ウエイトアーム１８の先端に締結することにより最大の応力として作用するが、ウエイト１９をウエイトアーム１８の中央附近に締結するほど、即ち、ウエイトアーム固定ホルダー１７とウエイト１９との間隔が短くなるほど、ウエイト１９の応力は小さくなる。更に、当然のことながら、ウエイト１９の数を徐々に増やし、かつ、ウエイト１９の締結位置をウエイトアーム１８の先端方向にずらすことにより、ウエイト１９の応力をより大きくすることができる。
【００５５】
このウエイトアーム１８に締結するウエイト１９の数と締結位置によるウエイト１９の応力、即ち、ゴルフスイングに逆らう負荷は、利用者個人個人の筋力に相当する負荷として選択することができ、しかも、筋力が増強するにつれ、負荷を増加させることができる。また更に、身体のどの部分の筋力トレーニングを行なうか、例えば、引き手である左手のみの訓練に適した負荷、あるいは、右手のみのスイングに適した負荷を選択することも可能である。
【００５６】
より具体的には、右スイングの場合、グリップが描く円弧状の軌跡の内で、スイング力に逆らう負荷力を無くしたい範囲は、ウエイトアーム１８のウエイト１９が時計の文字盤に例えれば、１２時を過ぎた位置から６時までの角度位置になるようにウエイトアーム固定ホルダー１７にウエイトアーム１８を組付けることにより設定できる。
【００５７】
また、ウエイトアーム固定ホルダー１７の取付け角度は３６０度の如何なる範囲にも取付けることができるが、ウエイトアーム固定ホルダー１７の取付角度を一定にしておき、スイングアーム固定ホルダー８の取付角度を３６０度の範囲内で自由に取付けることによっても、ウエイト１９による応力が作用する範囲を望みの位置に設定できる。
【００５８】
なお、ウエイト１９を締結したウエイトアーム１８の延長方向の先端が、時計文字盤でいえば１２時を超えると、ウエイト１９の落下重力が作用して不具合が生じる恐れがあるので、１２時を超えないようにウエイトアーム１８の回動ストッパー（図示せず）を付けておくことが好ましい。
【産業上の利用可能性】
【００５９】
本発明のゴルフスイングトレーニング装置は、自宅において何時でも手軽にゴルフスイングの練習ができ、しかも、ゴルフスイング時に必要な身体の各部分の筋力を増大させるためのトレーニング、あるいは、ゴルフスイング時の正しい姿勢を体得するためのトレーニング装置として利用可能である。
【符号の説明】
【００６０】
１  ゴルフスイングトレーニング装置
２  傾斜フレーム
３  立設フレーム
４  上下アジャスターパッド
５  スタンド
６  角度可変アーム
７  ゴルフスイング機構
８  スイングアーム固定ホルダー
９  スライドアーム
１０  スイングアーム
１１，１１−１  動力軸ボックス
１２，１２−１  動力伝達軸
１３  動力ギヤ
１４  連動ギヤ
１５  動力連動軸
１６  動力軸ボックスの開閉蓋
１７  ウエイトアーム固定ホルダー
１８  ウエイトアーム
１９  ウエイト
２０  上下ナット
２１  雄ネジ
２２  スライディング部材（直動システム）
２３  連結片
２４  グリップ
２５  角度α
２６  動力伝達軸の他端
２７  スプリングピン
２８  スプリング
２９  スライド位置決めブロック
３０  可変ストッパー
３１  固定ストッパー
３２  ストッパー穴
３３  ウエイトアームの基端部
３４  動力連動軸固定用穴
３５  締結用スリット
３６  六角穴付き組込みボルト
３７  ウエイトアーム用ネジ込み穴
３８  ナット
３９  スプライン軸
４０  ワッシャー
４１  固定ボルト
【図１】
2010201146.tif 000003
【図２】
2010201146.tif 000004
【図３】
2010201146.tif 000005
【図４】
2010201146.tif 000006
【図５】
2010201146.tif 000007
【図６】
2010201146.tif 000008
【図７】
2010201146.tif 000009